(57)【特許請求の範囲】
【請求項１】
ケース体とそのふた体とからなる配線器具本体の内部に、マイクロスイッチと、前記マイクロスイッチからの開閉信号により起動して所定の時間経過後に停止する電子式の遅れスイッチ回路および前記遅れスイッチ回路の遅れ時間を調整するための可変抵抗器とが収装され、前記可変抵抗器がその回転軸の少なくとも先部を前記ふた体に形成した軸孔から突出させて取付けられているとともに、前記回転軸の先部に摘みが軸線方向に突出後退可能に取付けられており、且つ摘みを後退させたときに前記マイクロスイッチを開閉作動させるベルクランクの揺動を用いたカム部材を有する作動機構が前記摘みと前記マイクロスイッチとの間に連結されていることを特徴とする配線器具。
【発明の詳細な説明】
【０００１】
【産業上の利用分野】
本発明は、例えば壁面に形成した開口部に嵌装した取付枠に取付けられる照明器具や換気扇などの電気器具を開閉するための配線器具、殊に開閉操作後、一定時間経過後に前記電気器具を遅らせて閉または開動作させる遅れスイッチ回路を有する配線器具に関するものである。
【０００２】
【従来の技術】
従来、特開平３‐１１９３１号公報、実願昭５７‐１１６３２５号（実開昭５９‐２１５３７号）のマイクロフィルムなどに提示されているように開閉素子を開閉操作した後、一定時間経過後に電源の供給を停止させる遅れスイッチ機構を有する配線器具が例えば玄関の照明灯、洗面所などの換気扇などに用いられている。
【０００３】
このような遅れスイッチ機構において、遅れ時間を任意に設定できる手段として可変抵抗器を持つ電子式の遅れスイッチ回路を用いているので遅れ時間の調整が簡単且つ確実で耐久性にも優れているなどの利点を有している。
【発明が解決しようとする課題】
【０００４】
ところが、この種の配線器具は開閉素子の操作部と、遅れ時間を調整するための可変抵抗器の回転軸に取付けられた摘みとを規格化により限られた面積を有する配線器具の表面に露出して取付けなければならず、開閉素子の操作部ならびに摘みの大きさ、更にはそれらの配置位置が制限されるためきわめて操作性が悪いとともに外観上もよくない、などの問題がある。
そこで、例えば実願昭６３‐１１２８００号（実開昭２‐３５７８２号）のマイクロフィルム、実願平２‐７３０５９号（実開平４‐３０７０２号）のマイクロフィルムなどに遅れ時間の調整をする可変抵抗器の先部に取り付けた摘みを回動することで遅れ時間の調整をし、摘みを押すことにより開閉素子を作動させるものが知られているが、前者は回転軸を摺動可能としたものであり、構造が複雑であるばかりか耐久性の面でも問題があり、後者は摘みの裏面の一部を開閉素子の一方の接点とするものであり、接点間の距離が大きいので確実な開閉動作が確保できず、接点が露出したものであり開閉時の火花放電や大きな接触抵抗は微弱な電流により作動する遅れスイッチ回路などには誤動作や故障等の原因となり好ましくない。
【０００５】
本発明が解決しようとする課題は、前記従来の遅れ時間の調整手段として可変抵抗器を用いた電子式の遅れスイッチ回路を有する配線器具は遅れ時間の調整が簡単且つ確実で耐久性にも優れているが、きわめて操作性が悪いとともに確実な開閉動作を確保しにくい、という点である。
【０００６】
本発明は、前記従来の配線器具が有する問題点を解決することを目的とするものであり、遅れ時間の調整が簡単且つ確実で耐久性にも優れていることは勿論のこと、きわめて操作性がよいとともに外観上も優れた美観を呈するとともに開閉操作に伴って生じる動作が遅れスイッチ回路を確実に作動させる配線器具を提供することを目的とするものである。
【０００７】
【課題を解決するための手段】
前記課題を解決するため本発明は、ケース体とそのふた体とからなる配線器具本体の内部に、マイクロスイッチと、前記マイクロスイッチからの開閉信号により起動して所定の時間経過後に停止する電子式の遅れスイッチ回路および前記遅れスイッチ回路の遅れ時間を調整するための可変抵抗器とが収装され、前記可変抵抗器がその回転軸の少なくとも先部を前記ふた体に形成した軸孔から突出させて取付けられているとともに、前記回転軸の先部に摘みが軸線方向に突出後退可能に取付けられており、且つ摘みを後退させたときに前記マイクロスイッチを開閉作動させるベルクランクの揺動を用いたカム部材を有する作動機構が前記摘みと前記マイクロスイッチとの間に連結されていることを特徴とする。
【０００８】
【作用】
配線器具の表面に露出させた摘みを軸線を中心として回動させることにより可変抵抗器の抵抗値、即ち遅れ時間が調整され、軸線方向に突出後退させることにより作動部材を介して遅れスイッチ回路を起動させるマイクロスイッチを作動させる。
【０００９】
【実施例】
次に、本発明の実施例を図面に基づいて説明する。
【００１０】
図面はマイクロスイッチの開閉操作に伴って発生する開閉信号によりタイマ回路を起動させるとともに所定の時間経過後に電気器具への電力の供給を停止させる機構を持った電子式の遅れスイッチ回路を有する配線器具に本発明を実施した場合の一例を示すものであり、絶縁材料によって形成された配線器具本体１は通常の規格サイズの配線器具がその縦幅方向に２個連結された大きさを有し、内部に信号発生機構を構成するマイクロスイッチ２、遅れ時間を調整するための可変抵抗器３、および電子部品からなる電子式の遅れスイッチ回路４などが収装される頂部を開放した凹部５を有するケース体６、このケース体６の表面に被せて凹部５を塞ぐふた体７およびふた体７の表面に配置される化粧カバー８とから構成されている。
【００１１】
ふた体７はその底部に複数個の位置決め用の突起を突出させており、これらの突起をケース体６の頂部に設けた位置決め用の凹部にそれぞれ嵌装させることで所定位置に配置される。
【００１２】
また、ケース体６の前記連結方向、即ち縦幅方向へ延びる両側壁の外面には後述のふた止金具９の締結片１０を係止するための係止部１１が一体的に形成されている。
【００１３】
ふた体７は全体が底部開放の凸形状に形成されており、横幅方向の側壁に沿ってエッジ部１２が形成され、頂壁１３には前記遅れスイッチ回路４の一部を構成する可変抵抗器３の回転軸１４を突出させるための軸孔１５が貫通形成されている。この軸孔１５は後述の摘み１６の裏面に突出された軸部が挿入可能な口径を有している。
【００１４】
そして、頂壁１３の表面における前記軸孔１５の周囲には前記回転軸１４の先部に取付けられる摘み１６を案内させる円形のガイド１７が立設されており、頂壁１３は摘み１６の過度の押込みを防止するストッパとしての作用を有する。
【００１５】
また、前記ふた止金具９は鋼板などの弾性を有する金属材などにより形成され、ふた体７のエッジ部１２に重ねる金具本体１８の長手方向の両端に同方向へ連続して屈曲垂設した前記締結片１０，１０を有している。
【００１６】
このような構成を有するふた止金具９は、ふた体７の頂壁１３の表面に配置固定される化粧カバー８の止め具２０を挟んでふた体７のエッジ部１２に重ねるとともに、締結片１０の先端を拡開してケース体６の係止部１１に係止することにより止め具２０と一緒にケース体６に簡単且つ強固に締結固定することができるものである。
【００１７】
一方、ケース体６はその凹部５が縦幅方向に二つの部位２１，２２に区分けされており、一方の部位２１には横幅方向の中央に底面をケース体６の底壁１９内面から距離を隔てて配置した中空で表面開放の絶縁部材２３が配設されることによって一対の端子収納部２４，２５が横幅方向に隔りを有して形成されており、一方の端子収納部２４には二本の外部電線が接続される接続端子２６が収納されているとともにもう一方の端子収納部２５には縦幅方向に対向配置させた一対の接続端子２７，２７が収納されている。
【００１８】
接続端子２６はその内方に配置された二個の板状の押えばね２８，２８と，これらの押えばね２８，２８に接して横幅方向へ摺動可能に配置されたリリース釦２９とを有し、接続端子２６の側壁と押えばね２８，２８との間に被覆層を剥いだ電線の先部を挿入することにより接続端子２６と押えばね２８との間に挟持固定されるものである。
【００１９】
また、もう一方の側の接続端子２７，２７にはその内方に板状の押えばね３０，３０がそれぞれ対向配置されているとともに、これらの押えばね３０，３０に接して横幅方向へ摺動可能に配置された共通のリリース釦２９を有し、接続端子２７，２７の側壁と押えばね３０，３０との間に被覆層を剥いだ電線の先部を挿入することにより接続端子２７の側壁と押えばね３０との間に挟持固定されるものである。
【００２０】
従って、ケース体６の底壁１９には四個の電線挿入孔３１とリリース釦２９を移動させて電線の挟持を解除するための工具挿入孔３２がそれぞれ所定位置に形成されている。
【００２１】
更に、ケース体６の内部には絶縁部材２３を挟んで二枚のプリント配線用の第一基板３４ならびに第二基板３５が高さ方向に距離を隔てて配置支持されている。
【００２２】
底壁１９側に配置された第一基板３４は、絶縁部材２３の中空部に底面を絶縁部材２３の底面と同一面となるようにして配置された遅れスイッチ回路４の信号発生機構を構成するマイクロスイッチ２の底面に突出された接続端子３６を第一基板３４の取付孔３７に挿通してハンダ付けなどの適宜の固着手段を用いて電気接続を兼ねて固着されている。
【００２３】
第二基板３５は、接続端子２６および接続端子２７，２７の各表面に一体的に突設された突起３３を取付孔３８に挿通してハンダ付けなどの適宜の固着手段を用いて電気接続を兼ねて固着されている。
【００２４】
第一基板３４および第二基板３５は絶縁部材２３と反対側の端部において平型ケーブル３９によって互いに電気的に接続されており、両基板３４、３５の両面に例えば可変抵抗器３、集積回路４０などの遅れスイッチ回路４を構成する他の機械部品や電子部品が配設される。このように本実施例はそれぞれケース体６内に平行に配置した二枚の第一基板３４および第二基板３５のそれぞれの両面に電子部品や機械部品を配設することができることから部品搭載効率がきわめてよい。
【００２５】
本実施例では、時間設定を行なう可変抵抗器３は第一基板３４に固定されたマイクロスイッチ２に対向するように縦幅方向とほぼ同一線上の位置にその回転軸１４を表面側に突出させて第二基板３５に固定されている。
【００２６】
そして、可変抵抗器３の回転軸１４には弾発コイルばね４２、連結支持体４４および摘み１６が先端に向けて順に嵌められている。
【００２７】
連結支持体４４は可変抵抗器３の回転軸１４の先端に取付けられる摘み１６と連結して摘み１６を回転軸１４に嵌めた状態に支持するとともに後述のマイクロスイッチ２の作用釦５９を押して開閉作動させるための作動機構５３における一部を構成するものであり、中心に可変抵抗器３における回転軸１４の挿通孔４５を形成したドーナツ円板形の基部４６の外周に垂直な一対の係止片４７，４７を立設するとともに基部４６の外周に同一平面上に延びる四個の水平突片４８をそれぞれ縦横方向へ向けて突設した形状であり、係止片４７，４７をふた体７の頂壁１３に形成された軸孔１５の縦幅方向位置に対向して形成された一対の切欠部４１，４１に長手方向に摺動自由に且つ軸線を中心として回動不可能に嵌装されるとともに、四個の水平突片４８は軸孔１５からの抜止め防止の役目をするとともに係止片４７を有していない一対の水平突片４８，４８が後述のマイクロスイッチ２の作動機構を構成する板ばね５５を駆動する役目をする。
【００２８】
摘み１６は表面から側面にかけて外観意匠と滑り止めを兼ねた多数の溝が放射状態に形成されているとともに、裏面の中心に可変抵抗器３における回転軸１４に回動不可能且つ軸線方向に突出後退可能差し込まれる嵌挿孔４９を有する軸部５０が突設されており、更に、軸部５０の外側周面に形成された環状溝５１に連結支持体４４の係止片４７，４７の先端に内側に向けてそれぞれ形成された係止突起５２が回転軸１４の軸線を中心として回動可能に係止されている。
【００２９】
従って、摘み１６は回転軸１４の軸線方向に突出後退可能であるとともに断発コイルばね４２によって突出方向に付勢され、且つ回動不可能な状態、即ち摘み１６を回転させたときに連結支持体４４が回転せずに回転軸１４だけが回転し、摘み１６を押したときに連結支持体４４が後退し、その押圧力を解除すると突出してもとの状態に自然復帰する状態で可変抵抗器３の回転軸１４に支持される。
【００３０】
また、前記連結支持体４４とマイクロスイッチ２との間にはマイクロスイッチ２の作用釦５９を押圧するための作動機構５３が配置されている。
【００３１】
この作動機構５３は連結支持体４４の下方に水平に配置された平面が門形の板ばね５５と、ケース体６の部位２１に配置された絶縁部材２３の内部に配置されているマイクロスイッチ２の作用釦５９を押して開閉作動させるための作動機構５３を前記板ばね５５によって押圧することで回転作動させるベルクランクの揺動を用いたカム部材４３とから構成される。
【００３２】
板ばね５５は充分な弾性を発揮するように側端面Ｕ形に形成した基端部をケース体６の凹部５に形成された部位２２に、その作用部５４，５４である両遊端を部位２１に沿ってそれぞれ配置し、基端部に設けた突起をふた体７に形成した後述の嵌装溝に嵌め込み固定されている。
【００３３】
更に、板ばね５５により駆動するカム部材４３は、ケース体６の内部に収装された絶縁部材２３のふた体７側の端面に形成された軸受溝５６，５６に軸体５７を介して回動自由に架設され、絶縁部材２３の両側部から突出させた軸体５７の両端位置に前記板ばね５５の作用部５４、５４が接触して押圧回動される押圧片５８，５８が水平方向へ向けて一体的に突設されているとともに、中央に前記開閉素子２の表面に突出している作用釦５９を押圧する作用片６０がマイクロスイッチ２方向へ向けて一体的に突設されている。
【００３４】
尚、図面中、符号６１は第二基板３５の表面に配置されたネオン管、符号６２はふた体７の前記ネオン管６１の配置位置に沿って形成された開口部６３に嵌められた散光性ならびに透光性を有するフード、符号６４は化粧カバー８に形成された摘み１６を突出させるための開口部であり、開口縁部に摘み１６に記された基標に合致する各種の遅れ時間が表示されている。
【００３５】
また、符号６５は化粧カバー８におけるふた体７に形成された開口部６３に重なる位置に形成された開口であって、その周りのくぼみに透光性を有する基板６６，カード６７，カードホルダ６８を装着しており、カード６７は定格、使用説明、注意などが表示されている。
【００３６】
更に、符号６９はふた体７の開口部６４に対応して化粧カバー８に貫通形成された細溝７０に嵌められた透光体である。符号７１ならびに７２はそれぞれ摘み１６の裏面に形成された係止部ならびにふた体７の表面に軸孔１５に沿って形成された前記板ばね５５の装着溝を有する係合突起であり、両者が互いに係合して摘み１６の回転角度を一定範囲に規制して操作性を良好にしている。
【００３７】
更にまた、符号７３は板ばね５５と第二基板の表面に配設された電子部品との電気的接触を防ぐための絶縁板、符号７４は遅れスイッチ回路４の一部を構成するトライアックであり、トライアック７４は本実施例では取付ねじ７６により放熱板７７に取付けられ、放熱板７７はトライアック７４と反対側の表面をケース体６の両側壁に形成した開口窓７８を介して外部に露出されており、放熱効果を高めている。尚、トライアック７４を一個のみ設置したときは、これを設けない方の開口窓７８は壁板７５で塞がれる。
【００３８】
以上の構成を有する本実施例は例えば洗面所の換気扇や玄関灯のように、スイッチの開閉操作に伴って発生する開閉信号によりタイマ回路を起動させるとともに所定の時間経過後に電気器具への電力の供給を停止させる場合に用いられるものであり、建造物の壁面に形成した配線空間に配設置された使用する電気器具に接続された外部電線の一部を開口部から取り出して接続端子２６ならびに接続端子２７に接続するとともに、従来から知られている配線器具と同様に前記壁面に形成した開口部に配置された取付枠（図示せず）に例えばふた止金具９に突設された係止爪７９を介して取付け、止め具２０を介して表面に化粧カバー８を装着する。
【００３９】
そして、表面に露出させた摘み１６を押すと、摘み１６は弾発コイルばね４２の付勢力に抗して後退し、軸部５０に連結された連結支持体４４を後退させる。
そして、連結支持体４４の水平突片４８により板ばね５５が押圧されてケース体６の底壁１９方向へ向けて屈曲し、その作用部５４がカム部材４３の押圧片５８を押圧して軸体５７を回転させる。
【００４０】
従って、カム部材５６の作用片６０によりマイクロスイッチ２の作用釦５９が押圧され、マイクロスイッチ２が開始信号を発して遅れスイッチ回路４が起動し電気器具に電力が供給されるとともに、遅れスイッチ回路４の一部を構成する可変抵抗器３によって設定された所定の時間が経過した後に電力の供給が停止される。
【００４１】
尚、摘み１６への前記押圧力を解除すればコイルばね４２および板ばね５５の付勢力によりカム部材４３、板ばね５５、連結支持体４４ならびに摘み１６は元の位置に復帰して次の動作に備える。
【００４２】
また、遅れスイッチ回路４の遅れ時間を調整したい場合には摘み１６を軸線を中心として回転させることで可変抵抗器３の回転軸１４を回転させて所望の抵抗値とすればよい。
【００４３】
尚、本実施例は前記実施例に限定されるものでない。
【００４４】
【発明の効果】
以上の構成を有する本発明によれば、表面に露出させた摘みを軸線方向に突出後退させることによりマイクロスイッチを作動させて遅れスイッチ回路を起動させることができるとともに、同じ摘みを回すことにより可変抵抗器の抵抗値、即ち、遅れ時間が調整される。
【００４５】
従って、きわめて操作性がよいとともに外観上も美的に優れた配線器具を提供
することができるものであり、特に、摘みを軸線方向に突出後退させることにより遅れスイッチ回路を起動させる電気信号を送る手段として小型で規定の力で規定の開閉操作を行うマイクロスイッチを用いたので決められたケース内に各部品を無理なく収装出来値ばかりか電気的な開閉が確実で耐久性にも優れている。
【図面の簡単な説明】
【図１】  本発明の一実施例を示す分解斜視図である。
【図２】  図１に示した実施例の化粧カバーを取外した状態を示す正面図である。
【図３】  図１に示した実施例のＡ−Ａ線に沿う断面図である。
【図４】  図１に示した実施例の側面図である。
【図５】  図１に示した実施例のＢ−Ｂ線に沿う断面図である。
【図６】  図２においてふた体を取外した状態を示す正面図である。
【図７】  図６において第二基板を取外した状態を示す正面図である。
【図８】  図１に示した実施例における摘みの裏面側から見た斜視図である。
【図９】  図１に示した実施例における連結部材の斜視図である。
【図１０】  図１に示した実施例におけるカム部材の斜視図である。
【図１１】  図１に示した実施例における板ばねの斜視図である。
【符号の説明】
１  配線器具本体
２  マイクロスイッチ
３  可変抵抗器
４  遅れスイッチ回路
６  ケース体
７  ふた体
１４  回転軸
１５  軸孔
１６  摘み
５３  作動機構
【図１】
0003705824.tif 000002
【図２】
0003705824.tif 000003
【図３】
0003705824.tif 000004
【図４】
0003705824.tif 000005
【図５】
0003705824.tif 000006
【図６】
0003705824.tif 000007
【図７】
0003705824.tif 000008
【図８】
0003705824.tif 000009
【図９】
0003705824.tif 000010
【図１０】
0003705824.tif 000011
【図１１】
0003705824.tif 000012